【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
複数の圧縮されたスーパータイルフレームから画像フレームをディスプレイするための方法であって、
スーパータイルフレーム結合器を用いて、前記圧縮されたスーパータイルフレームを読み出すことと、
前記スーパータイルフレーム結合器を用いて、前記圧縮されたスーパータイルフレームの各々を拡大し、拡大されたスーパータイルフレームにおける当該圧縮されたスーパータイルフレームに由来しない１つ以上のタイルに対してブランク画素を挿入することによって、前記拡大されたスーパータイルフレームを生成することと、
前記スーパータイルフレーム結合器を用いて、複数の前記拡大されたスーパータイルフレームを結合して前記画像フレームを生成することと、を備える方法。
【請求項２】
スーパータイルフレーム生成器を用いて、システムメモリから読み出された複数のタイルから前記圧縮されたスーパータイルフレームを作成することと、
ディスプレイを用いて、前記生成された画像フレームをディスプレイすることと、を更に備え、
前記拡大されたスーパータイルフレーム及び前記生成された画像フレームのいずれも前記システムメモリに書き込まれない請求項１の方法。
【請求項３】
前記圧縮されたスーパータイルフレームの１つ以上を複数のプロセッサの各々において処理することを更に備える請求項１の方法。
【請求項４】
前記画像フレームの複数のタイルから複数のスーパータイルフレームを決定することと、
前記スーパータイルフレームの１つ以上を前記プロセッサの各々に割り当てることと、
前記スーパータイルフレームのそれぞれを圧縮することと、を更に備える請求項３の方法。
【請求項５】
前記スーパータイルフレームの各々は前記画像フレームの非隣接タイルを備える請求項４の方法。
【請求項６】
前記それぞれのスーパータイルフレームを前記複数のプロセッサにおける別々のプロセッサ内に記憶することを更に備える請求項５の方法。
【請求項７】
前記圧縮することは、前記スーパータイルフレームのそれぞれに対して、実質的に、対応するプロセッサに割り当てられたタイルのセットだけを記憶することを備える請求項４の方法。
【請求項８】
当該拡大することは当該結合することと実質的に同時に行われる請求項１の方法。
【請求項９】
当該結合することは加算動作を用いて前記複数の拡大されたスーパータイルフレームを結合することを備える請求項１の方法。
【請求項１０】
画像フレームの複数の圧縮されたスーパータイルフレームから前記画像フレームをディスプレイするためのシステムであって、
制御プロセッサと、
前記制御プロセッサに結合され、その各々は前記圧縮されたスーパータイルフレームの１つ以上を処理するように構成される複数のグラフィクス処理ユニットと、
スーパータイルフレーム結合器と、を備え、
前記スーパータイルフレーム結合器は、
前記圧縮されたスーパータイルフレームを読み出すことと、
前記圧縮されたスーパータイルフレームの各々を拡大し、拡大されたスーパータイルフレームにおける当該圧縮されたスーパータイルフレームに由来しない１つ以上のタイルに対してブランク画素を挿入することによって、前記拡大されたスーパータイルフレームを生成することと、
複数の前記拡大されたスーパータイルフレームを結合して前記画像フレームを生成することと、のために構成されるシステム。
【請求項１１】
前記システムは前記制御プロセッサ及び前記グラフィクス処理ユニットに結合されるシステムメモリを更に備え、
前記拡大されたスーパータイルフレーム及び前記生成された画像フレームのいずれも前記システムメモリに書き込まれない請求項１０のシステム。
【請求項１２】
前記画像フレームを表す複数のスーパータイルフレームを作成し、前記スーパータイルフレームの１つ以上を前記グラフィクス処理ユニットの各々に割り当てるように構成されるスーパータイルフレーム生成器と、
前記スーパータイルフレームのそれぞれを圧縮するように構成されるスーパータイルフレーム圧縮器と、を更に備える請求項１０のシステム。
【請求項１３】
前記スーパータイルフレーム圧縮器は、前記スーパータイルフレームのそれぞれに対して、実質的に、対応するグラフィクス処理ユニットに割り当てられたタイルのセットだけを記憶するように更に構成される請求項１２のシステム。
【請求項１４】
前記スーパータイルフレームの各々は前記画像フレームの非隣接タイルを備える請求項１０のシステム。
【請求項１５】
当該拡大することは当該結合することと実質的に同時に行われる請求項１０のシステム。
【請求項１６】
命令を記憶するコンピュータ可読記憶媒体であって、前記命令は、実行されると、複数の圧縮されたスーパータイルフレームから画像フレームをある方法でディスプレイするように適合させられ、前記方法は、
前記圧縮されたスーパータイルフレームを読み出すことと、
前記圧縮されたスーパータイルフレームの各々を拡大し、拡大されたスーパータイルフレームにおける当該圧縮されたスーパータイルフレームに由来しない１つ以上のタイルに対してブランク画素を挿入することによって、前記拡大されたスーパータイルフレームを生成することと、
複数の前記拡大されたスーパータイルフレームを結合して前記画像フレームを生成することと、を備えるコンピュータ可読記憶媒体。
【請求項１７】
システムメモリから読み出された複数のタイルから前記圧縮されたスーパータイルフレームを作成することと、
前記生成された画像フレームをディスプレイすることと、を前記方法が更に備え、
前記拡大されたスーパータイルフレーム及び前記生成された画像フレームのいずれも前記システムメモリに書き込まれない請求項１６のコンピュータ可読記憶媒体。
【請求項１８】
前記圧縮されたスーパータイルフレームの１つ以上を複数のプロセッサの各々において処理することを前記方法が更に備える請求項１６のコンピュータ可読記憶媒体。
【請求項１９】
前記複数のタイルから複数のスーパータイルフレームを決定することと、
前記スーパータイルフレームの１つ以上を前記プロセッサの各々に割り当てることと、
前記スーパータイルフレームのそれぞれを圧縮することと、を前記方法が更に備える請求項１６のコンピュータ可読記憶媒体。
【請求項２０】
前記スーパータイルフレームの各々は前記画像フレームの非隣接タイルを備える請求項１６のコンピュータ可読記憶媒体。
【請求項２１】
前記スーパータイルフレーム結合器を用いて、複数の拡大されたスーパータイルフレームのうち１つのスーパータイルフレームのタイル位置に対して、前記複数のスーパータイルフレームのうち他の全てのスーパータイルフレームのタイル位置がブランク値を有するように、非ブランク値を提供することをさらに含む請求項１の方法。
【請求項２２】
前記スーパータイルフレーム結合器は、複数の拡大されたスーパータイルフレームのうち１つのスーパータイルフレームのタイル位置に対して、前記複数のスーパータイルフレームのうち他の全てのスーパータイルフレームのタイル位置がブランク値を有するように、非ブランク値を提供するように構成されている請求項１０のシステム。
【請求項２３】
前記方法は、スーパータイルフレーム結合器を用いて、複数の拡大されたスーパータイルフレームのうち１つのスーパータイルフレームのタイル位置に対して、前記複数のスーパータイルフレームのうち他の全てのスーパータイルフレームのタイル位置がブランク値を有するように、非ブランク値を提供することをさらに含む請求項１６のコンピュータ可読記憶媒体。